(57)【要約】      （修正有）【課題】歯周ポケットを洗浄する際の操作性及び安全性を向上し得る歯周ポケット洗浄装置を提供する。【解決手段】歯周ポケット洗浄装置１は、注射筒２１と、該注射筒２１の液体出口に着脱自在に取り付けられ可撓性を有するフッ素樹脂からなる留置針の外筒１１と、を備えたものである。外筒１１の先端は折り曲げられた折曲部１３ａとされており、該折曲部１３ａの先端は、略扁平な形状に押しつぶされた押しつぶし部位とされている。【選択図】図１
0003202405.tif 000002
【実用新案登録請求の範囲】
【請求項１】
注射筒と、該注射筒の液体出口に着脱自在に取り付けられ可撓性を有するフッ素樹脂からなる留置針の外筒と、を備えた歯周ポケット洗浄装置。
【請求項２】
請求項１に記載の歯周ポケット洗浄装置において、前記外筒の先端は折り曲げられた折曲部とされており、該折曲部の先端は、略扁平な形状に押しつぶされた押しつぶし部位とされていることを特徴とする歯周ポケット洗浄装置。
【請求項３】
請求項２に記載の歯周ポケット洗浄装置において、前記押しつぶし部位は、最先端のみが略閉じた略くさび状の形状であることを特徴とする歯周ポケット洗浄装置。
【請求項４】
請求項１〜３に記載の歯周ポケット洗浄装置において、前記注射筒と、前記留置針の外筒とは、それぞれ複数種類のものが組み合わせ可能とされていることを特徴とする歯周ポケット洗浄装置。
【考案の詳細な説明】
【技術分野】
【０００１】  本考案は、歯周ポケット洗浄装置に関する。
【背景技術】
【０００２】  従来より、種々の歯周ポケット洗浄を含めた口腔内洗浄用の装置が提案されている。
例えば、下記特許文献１には、洗浄液供給手段と、それに装着される洗浄液吐出管とを備え、洗浄液吐出管の先端に弾性体ノズルを設けた口腔洗浄器が開示されている。
この口腔洗浄器では、洗浄液供給手段はポンプ機能を有し、洗浄液供給手段に設けられた押圧部（ボタン）を押圧することで、内部の洗浄液が弾性体ノズルの先端から噴射される構成となっている。
【先行技術文献】
【実用新案登録文献】
【０００３】
【実用新案登録文献１】
特開２００７−１６７０８８号公報
【考案の概要】
【考案が解決しようとする課題】
【０００４】  しかしながら、この口腔洗浄器は、洗浄液供給手段はポンプ機能やボタンなどを有した構造であり、さらに、弾性体ノズルは洗浄液吐出管の先端のフランジ部に外嵌状態に装着されており、構造的に複雑と言える。従って、このような口腔洗浄器の製造は決して簡易とは言えない。
また、洗浄液供給手段のボタンを押圧して洗浄液を噴射させる構成であるので、頻回の使用などによりボタン関連部位が故障する可能性があり、また、噴射させる洗浄液の量の調整を、ボタンを介して行うことは容易ではないと考えられ、操作性の観点から改良の余地がある。
さらに、弾性体ノズルが洗浄液吐出管に装着される構造であることを考えると、洗浄中に弾性体ノズルが外れることなども考えられる。また、この口腔洗浄器は、歯肉ポケット内にノズルを挿入するものではなく、歯肉縁付近にノズルの先端を当てて、洗浄液を水圧に依存して歯肉ポケット内に注入するものであるため、注入のために高い水圧を必要とする。また、噴出液の水圧のコントロールが直感的あるいは即時的に行ない難く、不意の高水圧での使用により、歯肉などの軟部組織を傷める恐れがあり、また、その際に洗浄液が歯肉の組織内に誤注入され易い。以上より、安全面での改良の余地がある。【０００５】  本考案は、上記実情に鑑みてなされたものであり、歯周ポケットを洗浄する際の操作性及び安全性を向上し得る歯周ポケット洗浄装置を提供することを目的とする。
【課題を解決するための手段】
【０００６】
【０００７】  上記目的を達成するために、本考案に係る歯周ポケット洗浄装置は、注射筒と、該注射筒の液体出口に着脱自在に取り付けられ可撓性を有するフッ素樹脂からなる留置針の外筒と、を備えたことを特徴とする。【０００８】  本考案においては、前記外筒の先端を折り曲げられた折曲部とし、該折曲部の先端を、略扁平な形状に押しつぶされた押しつぶし部位としてもよい。【０００９】  また、前記押しつぶし部位は、最先端のみが略閉じた略くさび状の形状であるものとしてもよい。
また、前記注射筒と、前記留置針の外筒とは、それぞれ複数種類のものが組み合わせ可能とされているものとしてもよい。
【考案の効果】
【００１０】  本考案に係る歯周ポケット洗浄装置によれば、歯周ポケットを洗浄する際の操作性及び安全性を向上させることができる。
【図面の簡単な説明】
【００１１】
【図１】本考案の一実施形態に係る歯周ポケット洗浄装置の一例を模式的に示す概略図である。
【図２】歯周ポケット洗浄装置の製造方法の一例を示す工程図である。
【図３】（ａ）及び（ｂ）は、いずれも、同製造方法の第２工程の一例を示す工程図である。
【考案を実施するための形態】
【００１２】  以下に本考案の実施の形態について、図面を参照しながら説明する。
本考案の一実施形態に係る歯周ポケット洗浄装置１は、図１に示すように、注射筒２１と、該注射筒２１の液体出口２４に着脱自在に取り付けられる留置針１０の外筒１１と、を備えたものである。
【００１３】  注射筒２１は、円筒状の筒部（シリンジ）２２と、該筒部２２内の中空部に移動可能に挿入されるプランジャ部２５と、を備えている。
筒部２２は、その先端に、中空部内の液体の出口（液体出口）２４が設けられており、その基端部には鍔状部２３が設けられている。
液体出口２４は、円筒状とされており、その径寸法は、筒部２２の径寸法よりも小さい。
【００１４】  筒部２２としては、ポリプロピレン（ＰＰ）などの樹脂や、ガラス、金属などから構成されたものとしてもよい。また、筒部２２の長さは５０ｍｍ〜１２０ｍｍ程度、容量は０．３ｍＬ〜２ｍＬ程度、胴径寸法は５ｍｍ〜２０ｍｍ程度、液体出口２４の外径寸法は２ｍｍ〜１０ｍｍ程度としてもよい、
プランジャ部２５は、筒部２２の中空部に挿入される軸部２７と、軸部２７の基端部に設けられた指当て部２８とを有している。また、軸部２７の先端には、エラストマーなどからなるシール部２６が設けられている。
【００１５】  筒部２２の中空部における、該中空部に挿入したプランジャ部２５のシール部２６の先側の空間内に、歯周ポケット洗浄用の液体が溜められ、プランジャ部２５を中空部内に押し込むことで、シール部２６が筒部２２の先端方向に移動し、液体が液体出口２４から噴出する構成となっている。このシール部２６の存在により、中空部内の液体が、軸部２７の基端側に漏れ出ない構成となっている。
なお、注射筒２１としては、注射筒２１単独で製造されたものを用いてもよく、または、注射筒２１と注射針（不図示）とにより構成された注射器２０から取り外した注射筒２１を用いてもよい。また、既製品の注射筒２１を用いてもよい。
【００１６】  当該歯周ポケット洗浄装置１を構成する留置針１０の外筒１１は、図２に示すように、留置針１０の構成部材としての外筒（カテーテル部）１１である。
【００１７】  留置針１０は、内針部１４と、外筒（カテーテル部）１１とからなる。内針部１４は、棒状の基部１５と、その先端に設けられた内針ハブ１６と、その内針ハブ１６の先端に設けられた内針１７と、によって構成されている。外筒１１は、チューブ状のカテーテル１３と、そのカテーテル１３の基端部に一体的に設けられたカテーテルハブ１２と、によって構成されている。
カテーテルハブ１２は、その先側（カテーテル１３側）から基端側に向かうに従い次第に径寸法が大きくなる略円錐状とされており、内部に中空部を有している。
【００１８】  留置針１０は、内針１７がカテーテル１３のチューブ内に挿通され、内針ハブ１６がカテーテルハブ１２の中空部内に収納された状態で、外筒１１が内針部１４に装着されて構成されている。
なお、留置針１０とは、輸液などの動静脈留置用や、人工腎臓の動静脈瘻（内シャント）留置用などに使用されるものである。
【００１９】  外筒１１のカテーテル１３は、その長手方向の略全体に亘って略同径寸法とされており、その径寸法は、カテーテルハブ１２よりも小さい。
また、カテーテル１３は、可撓性を有する軟質な材料で構成されており、例えば、フッ素樹脂（ＥＴＦＥ）などからなるものとしてもよい。カテーテル１３としては、操作性の観点から、ある程度の硬度と弾性力を兼ね備えたものが望ましい。
【００２０】  外筒１１の長さは、３０ｍｍ〜９０ｍｍ程度、カテーテル１３の外径寸法は、０．５ｍｍ〜３．０ｍｍ程度、内径寸法は、０．５ｍｍ〜２．５ｍｍ程度としてもよい。また、カテーテル１３の先端は、先細り状としてもよく、また、先端を研磨して、滑らかな仕上げとしてもよい。
【００２１】  外筒１１としては、例えば、サーフロー留置針（登録商標）などの既製品の外筒（カテーテル部）を用いてもよい。このサーフロー留置針（登録商標）の外筒１１を用いる場合には、種々のカテーテルゲージ（１４Ｇ、１６Ｇ、１８Ｇ、２０Ｇ、２２Ｇ、２４Ｇなど）の外筒１１を用いてもよく、望ましくは、カテーテルゲージが１６Ｇの外筒１１を用いるのがよい。その場合、カテーテル１３の外径＝１．７ｍｍ、内径＝１．３０ｍｍ、外筒１１の長さ＝５１ｍｍまたは６４ｍｍとなる。
【００２２】  なお、外筒１１としては、既製品に限られず、チューブ状のカテーテル１３と、略円錐状で中空部を有するカテーテルハブ１２とを備えた外筒１１を、各部位が所定の寸法となるように成形などにより製造したものを用いてもよい。
【００２３】  本実施形態では、歯周ポケット洗浄装置１は、注射筒２１と留置針１０の外筒１１とが、それぞれ複数種類のものが組み合わせ可能とされている。
例えば、長さや中空部の容積などを異ならせた複数種類の注射筒２１，２１と、長さや外径寸法、硬度などを異ならせた複数種類の外筒１１，１１と、を予め準備しておき、適宜これらの組み合わせを異ならせた歯周ポケットの洗浄装置１を作成するようにしてもよい。
【００２４】  次に、歯周ポケット洗浄装置１の製造方法について説明する。
一実施形態に係る歯周ポケット洗浄装置１の製造方法は、図２に示すように、留置針１０の外筒１１を注射筒２１に連結させる工程（第１工程）を備えたものである。
【００２５】  この第１工程では、留置針１０から外筒１１を取り外し、その取り外した外筒１１を、注射筒２１の液体出口２４に連結させる。具体的には、この第１工程は、留置針１０の構成部材としての外筒１１を、内針１７の軸方向に沿って引き抜いて取り外す工程Ａと、この取り外した外筒１１を、注射筒２１の液体出口２４に連結させる工程Ｂと、を含む。
【００２６】  工程Ｂでは、取り外した外筒１１の一端のカテーテルハブ１２の中空部内に、注射筒２１の液体出口２４の略全体を嵌合させる。ここで、カテーテルハブ１２の中空部の径寸法、及び注射筒２１の液体出口２４の外径寸法は、カテーテルハブ１２と液体出口２４とが嵌合し得る寸法となっている。
【００２７】  本実施形態では、歯周ポケット洗浄装置１の製造方法は、図２に示すように、外筒１１（カテーテル１３）の先端を折り曲げてつぶす工程（第２工程）を更に備えている。
カテーテル１３における折り曲げ対象の部位（折曲部）１３ａとしては、例えば、カテーテル１３の最先端から２ｍｍ〜６０ｍｍ程度の長さの部位としてもよい。
当該折曲部１３ａの折り曲げ角度αとしては、例えば、カテーテル１３の軸方向から２度〜９０度程度ずれた角度としてもよい。図１〜３では、先端を軸方向から３０度程度ずれるように折り曲げたものを例示している。
【００２８】  この第２工程では、図３（ａ）及び（ｂ）に示すように、折曲部１３ａは、さらにその径方向（カテーテル１３チューブの径方向）に沿って押しつぶされる。その押しつぶし部位（つぶし部）１３ｂは、略扁平な形状となり、当該部位の中空部体積は、カテーテル１３における当該つぶし部１３ｂ以外の部位のそれよりも小さい。
このように、つぶし部１３ｂを設けることによって、歯と歯茎の間の接合してない密着状態とされた部位である狭い歯周ポケット内に、カテーテル１３（当該つぶし部１３ｂの先端）を挿入し易くなる。
【００２９】  図３（ａ）では、折曲部１３ａの軸方向に見て、つぶし部１３ｂの横断面における長径方向が、カテーテル１３の基端側部位（折曲部１３ａを除いた部位）の軸方向と略直交するように押しつぶしたつぶし部１３ｂ（図３（ａ））示している。また、図３（ｂ）では、折曲部１３ａの軸方向に見て、つぶし部１３ｂの横断面における短径方向が、カテーテル１３の基端側部位の軸方向と略直交するように押しつぶしたつぶし部１３ｂ（図３（ａ））示している。
【００３０】  図例（図３（ａ）及び（ｂ））のような、押しつぶし方向が互いに略直交するような２種類のつぶし部１３ｂを設けたカテーテル１３を製造するようにしてもよい。これにより、これらのいずれかを用いることによって、種々の方向に開口している略全ての歯周ポケット内に、つぶし部１３ｂの先端を滑り込ませることができる。
【００３１】  また、つぶし部１３ｂは、折曲部１３ａの先端側の部位のみ（例えば、当該部位１３ａの最先端から、１ｍｍ〜１０ｍｍ程度の長さの部位）としてもよい。図例では、つぶし部１３ｂを、折曲部１３ａの略１／１０程度の長さの部位とした例を示している（図３（ａ）、（ｂ））。このように、折曲部１３ａの先端側の部位のみをつぶし部１３ｂとした場合、当該部位１３ｂは、略くさび状となり、その最先端から基部側に向かうに従い次第に厚さ寸法が増大し、最先端のみが略閉じた形状となっている。くさび状部位の先端を構成する角度は、２度〜８０度程度としてもよく、望ましくは、１５度前後である。
このように、当該部位１３ｂにおける断面積の小さい部位を少なくすることにより（図例では、最先端のみが略閉じた形状）、プランジャ部２５を押し込む際の抵抗を極力小さくすることができる。
【００３２】  なお、つぶし部１３ｂを、折曲部１３ａの先端側の部位のみとする態様に限定されず、折曲部１３ａの先端から長手方向途中位置に亘る部位としたり、折曲部１３ａの略全体に亘る部位としたりしてもよい。
また、つぶし部１３ｂの形状は、図例に限定されず、種々のものとしてもよい。また、つぶし部１３ｂは、指でつぶす態様に限られず、例えば、ペンチなどの器具を用いてそのようにしてもよい。
また、このような外筒１１の先端を折り曲げてつぶす工程（第２工程）を備えないものとしてもよく、また、先端を折り曲げるのみとしたり、先端を押しつぶすのみとしてもよい。
また、第２工程を備えない場合は、予め成形などによって、外筒１１の先端を折り曲がりつぶされた形状としてもよい。
【００３３】  一実施形態に係る歯周ポケット洗浄方法は、留置針１０の外筒１１を注射筒２１に連結させて構成した歯周ポケット洗浄装置１（図１参照）を用いて歯周ポケットを洗浄するものである。
【００３４】  本実施形態では、エタノール水溶液（１６％（ｖ／ｖ）（体積％濃度であり、混合液体の全体積中でエタノールの体積が占める割合を示す））とカテキン４−５ｍｇ／ｍｌを含有する液体のうち少なくとも一種類を充填した歯周ポケット洗浄装置１を用いて、歯周ポケットを洗浄するようにしている。
【００３５】  エタノール水溶液の濃度としては、１６％（ｖ／ｖ）〜２４％（ｖ／ｖ）としてもよいが、好ましくは、１６％（ｖ／ｖ）である。なお、エタノール水溶液は、種々の文献にも報告がある通り、濃度の高いものを用いるほど口腔癌のリスクが増す。従って、歯周ポケットの洗浄効果を奏する最低濃度が、歯周ポケット洗浄に用いる濃度としての最適値となる。ここで、エタノール水溶液の最適濃度を１６％（ｖ／ｖ）としたが、これは、複数回の歯周ポケット洗浄の実験結果に基づく。
また、エタノール水溶液の濃度としては、１６％（ｖ／ｖ）〜２４％（ｖ／ｖ）としてもよいと述べたが、これは、１６％（ｖ／ｖ）未満にすると、洗浄効果が薄れて歯茎が腫れるリスクか高まるため、下限値を１６％（ｖ／ｖ）とした。また、むやみな高濃度は回避すべきであることと、次の論文Ａのデータに基づき、２４％（ｖ／ｖ）を上限値とした。当該論文Ａは、「Ｍｏｕｔｈｗａｓｈ  Ｕｓｅ  ａｎｄ  Ｏｒａｌ  Ｃｏｎｄｉｔｉｏｎｓ  ｉｎ  ｔｈｅ  Ｒｉｓｋ  ｏｆ  Ｏｒａｌ  ａｎｄ  Ｐｈａｒｙｎｇｅａｌ  Ｃａｎｃｅｒ」（ＣＡＮＣＥＲ  ＲＥＳＥＡＲＣＨ  ５１，３０４４−３０４７，Ｊｕｎｅ  １，１９９１）であり、ここのＴａｂｌｅ２には、２５％（ｖ／ｖ）未満の濃度のアルコールを含有したマウスウォッシュでは、口腔癌のリスクは上がっていないというデータが開示されている。
【００３６】  カテキンを含有した液体としては、エピガロカテキンガレート、エピガロカテキン、エピカテキンガレート、エピカテキン、ガロカテキンなどの茶カテキンを含有した緑茶が望ましい。また、液体のカテキン濃度としては、４−５ｍｇ／ｍｌに限られず、２−１０ｍｇ／ｍｌ程度としてもよい。
【００３７】  なお、緑茶以外としては、紅茶やウーロン茶などを用いてもよい。また、液体としては、エタノール水溶液や、カテキンを含有する液体に限られず、例えば、２０ｐｐｍ〜３０ｐｐｍ程度の次亜塩素酸水溶液や、２．５％〜３．５％程度の過酸化水素水、炭酸水素ナトリウム水溶液としてもよい。
さらには、バクテリオシンやナイシンなどの、細菌類が産生する抗生物質を溶解した水溶液や、クラリスロマイシンなどの抗生物質を溶解した水溶液、乳酸菌けんだく液、逆性石鹸の水溶液、プロポリスを希釈した水溶液、既製品のうがい薬などとしてもよい。
【００３８】  上記構成とされた本実施形態に係る歯周ポケット洗浄装置１及び歯周ポケット洗浄方法によれば、歯周ポケットを洗浄する際の操作性及び安全性を向上させることができる。
つまり、当該歯周ポケット洗浄装置１は、注射筒２１と、該注射筒２１の液体出口２４に着脱自在に取り付けられる留置針１０の外筒１１とを備えたものであり、外筒１１は、可撓性を有する軟質な材料で構成されている。従って、口腔内に挿入した外筒１１を操作して、外筒１１の先端を歯周ポケット内、又はその近傍などの適所に位置させる際の操作性に優れる。また、外筒１１の先端は、さほど鋭利ではなく、十分な弾性と可塑性を備えているため、外筒１１の先端が歯肉などに当接した場合でも、歯肉などが傷つき難く、安全性に優れる。
また、外筒１１のカテーテル１３はその長手方向の略全体に亘って略同径寸法となっているので、例えば、先端側から基端側に向かうに従い次第に径寸法が増大する形状のものと比べると、歯肉などに先端が当接した際の歯肉などに対する圧力がより小さい。さらには、プランジャ部２５を筒部２２内に押し込んで、注射筒２１内の液体を外筒１１の先端から噴射させる構成であるので、ノズル先端を歯肉縁付近に当てて高い水圧により液体を歯肉ポケットに注ぎ込む従来の製品よりも、噴射させる液体の圧力を比較的に低く抑えることができる。従って、歯肉などを傷つけ難く安全性に優れる。さらに、液体の圧力を低く抑えることができるだけでなく、必要に応じて低圧域内で液体の圧力を即時的に直感的にコントロールすることができる。
【００３９】  また、本実施形態では、歯周ポケット洗浄装置１は、注射筒２１と留置針１０の外筒１１とが、それぞれ複数種類のものが組み合わせ可能とされている。従って、注射筒２１と外筒１１の組み合わせのバリエーションを増やすことができるので、口の大きさや、操作時の状況などに応じて、最適な注射筒２１と外筒１１との組み合わせを選択することができる。
また、歯周ポケット洗浄装置１は、複雑な構造物ではなく、簡易な構造のディスポーザブル素材となっている。従って、注射筒２１の各部位や外筒１１などが消耗した際に、消耗部位の交換が容易であり安価に行なえる。
【００４０】  また、歯周ポケット洗浄方法は、上記歯周ポケット洗浄装置１を用いたものであるので、上記効果を奏する。
また、本実施形態では、歯周ポケット洗浄方法は、エタノール水溶液（１６％（ｖ／ｖ））とカテキン４−５ｍｇ／ｍｌを含有する液体のうち少なくとも一種類を充填した歯周ポケット洗浄装置１を用いて洗浄を行うものである。従って、これらエタノール水溶液や、カテキンを含有する緑茶などの液体は、天然に存在する物質だけで構成されており、非天然の化学物質が含有されていないので、アレルギー反応や化学物質に対する過敏症などの反応が出難く、安全性に優れる。
また、エタノールは、歯肉の炎症や歯牙の多少の不安定さを改善する能力に優れるので、１６％（ｖ／ｖ）エタノール水溶液を用いて歯周ポケットを洗浄することにより、歯周病菌の産生するジメチルスルフィドやリポ多糖などの脂溶性の歯周病進行毒素が洗い流されて、歯肉の炎症や歯牙の多少の不安定さが改善される効果が期待できる。
また、茶カテキンは、歯肉の炎症再燃抑制効果に優れるので、茶カテキンを用いた歯周ポケットの洗浄により、歯周ポケット内にカテキンが少量残存することになるので、歯肉の炎症再燃までの時間を延長することができる。
また、これらエタノール水溶液や茶カテキンは、上記同様の作用を持つ逆性石鹸水溶液などと異なり、体内組織に誤注入されたときの毒性が小さい。
また、エタノール水溶液、茶カテキンともに、歯周病菌への抗菌力が十分であるだけでなく、抗生物質などと異なり、病原菌の抗菌力への耐性が生じ難く、永続的に使用することが可能である。
【００４１】  上記構成とされた本実施形態に係る歯周ポケット洗浄装置１の製造方法によれば、簡易な方法で、操作性及び安全性に優れた歯周ポケット洗浄装置１を製造することができる。
つまり、当該歯周ポケット洗浄装置１の製造方法は、留置針１０の外筒１１を注射筒２１に連結させる工程（第１工程）を備えたものである。従って、留置針１０から取り外した外筒１１の一端を、注射筒２１の液体出口２４に連結させるだけで、歯周ポケット洗浄装置１を製造することができるので、例えば、留置針１０の外筒１１に相当する部位と、注射筒２１に相当する部位とを別個に成形などにより製造し、これらを連結させて装置１を製造するような場合と比べて、より簡易な方法で当該装置１を製造することができる。
また、当該歯周ポケット洗浄装置１の製造方法にて製造した歯周ポケット洗浄装置１は、上述のように操作性及び安全性に優れる。
【００４２】  また、本実施形態では、歯周ポケット洗浄装置１の製造方法は、外筒１１の先端を折り曲げてつぶす工程（第２工程）を更に備えている。これにより、注射筒２１の軸方向からずれた方向に、外筒２１の先端から液体を噴射することができるので、液体を歯周ポケット内へ注入し易くなり、歯周ポケットの洗浄効率を高めることができる。
また、指などを用いて簡単に外筒の先端を折り曲げてつぶすことができる。従って、例えば、予め成形などによって、外筒の先端を折れ曲がった形状とするような場合と比べて、より簡易に当該装置１を製造することができる。
【符号の説明】
【００４３】１        歯周ポケット洗浄装置
１０      留置針
１１      外筒
１２      カテーテルハブ
１３      カテーテル
１３ａ    折曲部（折り曲げ対象の部位）
１４      内針部
１５      基部
１６      内針ハブ
１７      内針
２０      注射器
２１      注射筒
２２      筒部
２３      鍔状部
２４      液体出口
２５      プランジャ部
２６      シール部
２７      軸部
２８      指当て部
α        折り曲げ角度
【図１】
0003202405.tif 000003
【図２】
0003202405.tif 000004
【図３】
0003202405.tif 000005